(57)【要約】  本発明は、患者への口腔外科手術用のドリル治具（１）に関するものであり、前記ドリル治具（１）は、患者の顎にドリルを案内するためのドリルガイド（３）が設けられた一時的な歯科用デバイス（５）と、ドリル治具（１）を患者の歯（２）のセットに一時的に固定するために、一時的な歯科用デバイス（５）に接続された少なくとも１つの保持要素（４）とを有する。
2021531947.tif 000002
【特許請求の範囲】
【請求項１】
患者の口腔外科手術用のドリル治具（１）であって、
前記患者の顎にドリルを案内するためのドリルガイド（３）が設けられた仮歯（５）と、前記患者の歯列（２）上に前記ドリル治具（１）を仮固定するために前記仮歯（５）に接続された少なくとも１つの保持要素（４）と、を備えることを特徴とする、
口腔外科手術用のドリル治具（１）。
【請求項２】
前記少なくとも１つの保持要素（４）は、取り外し可能な接続（８）によって前記仮歯（５）に接続されていることを特徴とする、請求項１に記載の口腔外科手術用のドリル治具（１）。
【請求項３】
前記取り外し可能な接続（８）は、材料の狭窄部又は穿孔（９）によって形成されることを特徴とする、請求項２に記載の口腔外科手術用のドリル治具。
【請求項４】
前記少なくとも１つの保持要素（４）は、前記患者の前記歯列（２）上に前記ドリル治具（１）を配置するために、前記患者の前記歯列（２）の１つ又は複数の歯の上に配置されるように成形されることを特徴とする、請求項１から請求項３までのいずれか１項に記載の口腔外科手術用のドリル治具（１）。
【請求項５】
前記少なくとも１つの保持要素（４）は、前記患者の前記歯列（２）上に前記ドリル治具（１）を配置するために、開口部（１３）、特に前記患者の前記歯列（２）の１つ又は複数の歯に適合された開口部を備えることを特徴とする、請求項４に記載の口腔外科手術用のドリル治具（１）。
【請求項６】
前記仮歯（５）は、歯の表面（１１）に接続するための少なくとも１つの保持ウェブ（１０）を含み、前記保持ウェブ（１０）は、好ましくは、前記仮歯（５）の前記少なくとも１つの保持要素（４）への接続部（１２）によって形成されることを特徴とする、請求項１から請求項５までのいずれか１項に記載の口腔外科手術用のドリル治具（１）。
【請求項７】
前記仮歯（５）は、インプラントへの間接的又は直接的な接続のために、挿入された状態で前記患者の前記顎に面する側に接続点を備えることを特徴とする、請求項１から請求項６までのいずれか１項に記載の口腔外科手術用のドリル治具（１）。
【請求項８】
前記ドリルガイド（３）には、好ましくは金属製のブッシングが挿入されていることを特徴とする、請求項１から請求項７までのいずれか１項に記載の口腔外科手術用のドリル治具（１）。
【請求項９】
前記ドリルの穿孔深さを制限するために、前記ドリルガイド（３）のエッジ領域に取り外し可能な停止要素が設けられていることを特徴とする、請求項１から請求項８までのいずれか１項に記載の口腔外科手術用のドリル治具（１）。
【請求項１０】
前記仮歯（５）の少なくとも１つの表面が、不透明な、好ましくは歯の色に着色された材料からできていることを特徴とする、請求項１から請求項９までのいずれか１項に記載の口腔外科手術用のドリル治具（１）。
【請求項１１】
前記仮歯（５）が、例えばカップのような工具のためのロックを備えることを特徴とする、請求項１から請求項１０までのいずれか１項に記載の口腔外科手術用のドリル治具（１）。
【発明の詳細な説明】
【技術分野】
【０００１】
本発明は、患者に対する口腔外科手術（oral surgery intervention）用のドリル治具に関する。ドリル治具は、ドリルやその他の歯科器具を案内するために口腔外科手術において使用される。この目的のために、ドリル治具には通常ドリルガイドがあり、これを通してドリルが治療される位置に導かれ、ドリル治具によって予め決められた角度でドリル穴を形成することができる。一般に、この場合、ドリル治具は、手術中のドリルの不慮の変位を防止するだけでなく、むしろ患者の顎におけるドリル穴の正確な位置を特定する。
【０００２】
ドリル治具は、それらの正確な位置が、患者の審美的及び機械的な治療（rehabilitation）にとって決定的であるため、特に、歯科用インプラントの取り付け中において重要である。インプラントは６自由度で顎に取り付けることができるため、歯科用インプラント又はドリル穴の正確な位置決めは大きな課題である。特に前歯の領域において、ドリル治具は、ドリル治具を用いないインプラントの取り付けと比較して、より良好な審美的結果を保証する。対照的に、インプラントの位置が不正確であるか、又は不適切であると、かなりの技術的費用が必要となり、追加のコスト、とりわけ患者の苦痛につながる可能性がある。それらはまた、歯科用インプラントでの口腔衛生をより困難にし、インプラントでの炎症反応を引き起こし、最終的にはインプラントの抜去につながる虞がある。従って、ドリル治具の計画及び作製でさえ、インプラント取り付けの重要な部分を表す。従って、インプラントの取り付けは、少なくとも計画、実際の外科的手術（穿孔とインプラントの挿入を伴う）、及びその後の結合段階（integration phase）を含む。
【０００３】
歯科用インプラントの挿入に必要なドリル穴を顎に正確に配置できるようにするために、利用可能なスペースを最適に利用することによりドリル穴が後で十分な保持を提供し、特に、神経を損傷しないように、ドリル治具は、通常、患者の顎又は歯列を事前に測定した後で、コンピュータ支援方式で設計され、その後、除去加工又は積層造形法によって製造される。
【背景技術】
【０００４】
独国実用新案第２０２０１２００５５１０号明細書は、インプラントを準備し実行するための、粘膜上又は骨上に支持される基準治具に関するものであり、治具がＸ線で観察可能な材料から製造され、画定された外部輪郭及び／又は留め具又は突起が、粘膜とは反対側の表面上の治具に取り付けられており、コンピュータ断層撮影で、治具の３次元外部輪郭及び／又はＸ線で観察可能な内部輪郭と骨構造との両方を見ることができるような方法で、治具のＸ線による観察可能性が設定されており、Ｘ線治具とドリル治具とが同一であることを特徴とする。
【０００５】
米国特許出願公開第２０１６／００７４１４１号明細書は、歯の間の隙間を永久的に整備するための歯科補綴物に関するものである。この文献には、歯科補綴物が、ドリルを案内することができるドリルチャネルを有することが開示されている。歯科補綴物は、取り外し可能なウイングを使用して、手術中に隣接する歯に固定することができる。穿孔後、患者の顎のドリル穴にネジを挿入することができ、このネジは歯科補綴物を保持する。歯科補綴物は、ネジの結合段階を越えて患者の歯列内に長期間留まることとされている（例えば、文献の段落［００３９］及び［００４０］を参照）。
【０００６】
インプラントの結合段階において、新たに装着された歯科用インプラントは、通常、仮歯によって保護されるが、仮歯は、同様に、別個の製造プロセスにおいてコンピュータ支援方式で成形され、作成され得る。一般に、結合インプラントを保護し、隣接する歯について歯の移動を防止することに加えて、仮歯は、さらに審美的な目的を果たし、結合段階中に少なくとも慎重な咀嚼を可能にする。
【０００７】
米国特許出願公開第２０１３／０３１６２９７号明細書は、人工歯とドリルチャネルとを有し、隣接する歯に固定するための支持部が設けられたドリル治具を開示している。この文献は、隣接する歯に固定するために、人工歯を支持部から分離できることを教示していない。これらの人工歯を歯として使用することは、開示されておらず、自明でもない。
【０００８】
欧州特許出願公開２４２５７９６号明細書は、ドリル治具、マーカプレート、顎アダプタ、及び義歯を備えたインプラント補助アセンブリを開示している。顎アダプタは、急速に硬化するプラスチックの補助により患者の顎に適合される。マーカプレートが順番に固定される結合ピンを有する結合プレートは、個々の成形品上に接着結合される。マーカプレートは、金属製の複数の３Ｄマーカを含み、３Ｄマーカは、患者の顎の配置全体の３次元検出を可能にするはずである。Ｘ線インプラント補助アセンブリの検出後、ガイドドリル穴が計画され、ドリル治具に導入される。マーカプレートが取り外され、ドリル治具が顎アダプタに直接接続される。続いて、ドリル治具の案内で顎アダプタをドリルで穿孔し、最終的にガイドドリル穴を作成する。ドリル治具が再び取り外され、ドリルで穿孔された顎アダプタがインプラント取り付け用のドリル治具を形成する。上述した義歯は、放射線検出の間、単にプレースホルダとして使用される。これらのプレースホルダを仮歯として使用することは、開示されておらず、自明でもない。
【発明の概要】
【発明が解決しようとする課題】
【０００９】
ドリル治具及び仮歯を作成するための既知の製造プロセスは、非常に時間がかかり、高コストと結びついている。また、従来技術では、ドリル治具及び仮歯を計画し、製造するために多額の費用がかかるが、仮歯は、取り付けられた歯科用インプラントに正確に適合しない場合がある。従って、仮歯を、取り付けられた歯科用インプラントにより正確に適合させることができ、製造費用を最小限に抑えることができれば望ましい。同様に、インプラント及び仮歯を取り付けるための歯科手術の期間又は複雑さを低減することができれば有利であろう。
【００１０】
従って、本発明は、従来技術の少なくとも個々の欠点を低減又は完全に克服する、冒頭で述べたタイプのドリル治具を提供することを目的とする。本発明は、特に、仮歯と歯科用インプラントとの間の適合性を増大させ、同時に、仮歯の製造費用を低減すること、及び／又は歯科治療の総期間又は複雑さを低減することを目的とする。
【課題を解決するための手段】
【００１１】
この場合、上述の目的は、ドリル治具が、患者の顎にドリルを案内するためのドリルガイドが設けられた仮歯と、患者の歯列にドリル治具を仮固定するために仮歯に接続される少なくとも１つの保持要素とを備え、特に、仮歯が、口腔外科手術後の創傷治癒段階（又は結合段階）の間に、患者の一時的な補助のために設けられることで達成される。ドリル治具の発明による仮歯との組合せによれば、両方の要素を共通の製造工程で計画及び製造でき、その結果、製造費用が削減される。さらに、予め互いに分離され、異なる目的のために挿入され、インプラント取付けの様々な段階で使用される２つの要素の組み合わせによって、仮歯のドリル穴への適合、従って歯科用インプラントへの適合を改善することができる。さらに、本発明によって可能になったインプラントと仮歯とを組み合わせた取り付けにより、歯科手術の期間又は複雑さが低減される。
【００１２】
本発明によれば、手術中にドリルを患者の顎内に案内するために、仮歯は、好ましくはチャネルとして実現されるドリルガイドを備え、このドリルガイドは、仮歯の第１の側から第２の側に通じ、仮歯を貫通する。好都合なことに、チャネルは真っ直ぐであり、即ち、曲率がなく、仮歯の両側の２つの端側開口部を除いて閉じている。ドリルガイドは、使用される仮歯の審美性を向上させるために、穿孔後に適切な材料を使用して閉じることができる。本発明によれば、仮歯は、少なくとも１つの保持要素に接続され、その結果、仮歯又はドリル治具は、口腔外科手術中に固定され得る。保持要素は、仮歯又はドリル治具の不慮の変位を防止し、ドリル治具の向き及び位置を予め決定することができる。好ましくは、保持要素は、この目的のために患者の歯列に適合される。必要に応じて、保持要素はドリルガイドを含むこともできる。
【００１３】
ドリル治具は、好ましくはプラスチック又はセラミックからなり、特に、単一の材料から一体に製造することができる。しかしながら、ドリル治具が様々な材料を含むこととされ得る。例えば、仮歯は、少なくとも１つの保持要素とは異なる材料からできていてもよい。
【００１４】
原則として、仮歯の場合、インプラントに支持される仮歯と、インプラントに支持されない仮歯と、を区別することが可能である。インプラントに支持される仮歯は、インプラントの結合段階において、既に歯科用インプラントに接続されている。従って、挿入された歯科用インプラントを保護するために、インプラント支持型インプラントの計画時には、隣接する歯との咀嚼接触が防止され、歯科用インプラントへの力の伝達を最小限に抑えることを保証する材料が、仮歯のために使用されることに注意する必要がある。対照的に、インプラントに支持されない仮歯は、結合段階で歯科用インプラントに接続されない。それにもかかわらず、仮歯を固定することができるようにするために、隣接する歯への接着ブリッジ（「メリーランドブリッジ」）又は仮ブリッジが従来技術で使用されている。さらに、インプラントで支持されない仮歯があり、これらの仮歯は、クラスプ補綴物として実現され、留め金（clasp）によって口腔の屋根（口蓋）又は隣接する歯に固定される。本発明によるドリル治具を含む仮歯は、好ましくは、インプラントに支持される仮歯又はインプラントに支持されない仮歯として、挿入可能であるか、又は設けられている。
【００１５】
審美的及び実用的な理由から、少なくとも１つの保持要素が、取り外し可能な接続を用いて、仮歯に接続される場合に有利である。その結果、保持要素は、歯科医による患者の治療中に、手で又は対応する工具の助けを借りて、仮歯から容易に取り外すことができる。必要に応じて、やすりを使用して余分な部分を削り取ることもできる。仮歯は、その後、仮歯のために提供される位置に、特に、患者の顎に挿入された歯科用インプラントに隣接して配置することができる。
【００１６】
より簡単に取り外しができるように、好ましい実施形態では、取り外し可能な接続は、材料の狭窄部（材料の先細り）又は穿孔（perforation）によって形成されることとされる。その結果、保持要素は、例えば繰り返し曲げることによって、特に容易に仮歯から取り外すことができる。
【００１７】
手術中のドリルの不慮の変位の危険性をさらに低減するために、少なくとも１つの保持要素が、患者の歯列上にドリル治具を配置するために、患者の歯列の１つ又は複数の歯の上に配置されるように成形されている場合に有益である。保持要素の保持力、従ってドリル治具の保持力は、保持要素を１つ又は複数の歯の上に配置することによって増大する。製造費用をさらに低減するために、特にこの実施形態において（しかし、本発明の文脈全体においても）、保持要素が、例えば付加製造により仮歯と一体に構成されている（かつ、保持要素が、好ましくはプラスチック又はセラミックから、及び／又は好ましくは単一の材料から製造される）場合に、有利である。
【００１８】
さらに好ましい実施形態では、少なくとも１つの保持要素は、患者の歯列上にドリル治具を配置するための開口部、特に患者の歯列の１つ又は複数の歯に適合された開口部を備える。この開口部は、とりわけ、保持要素の開放キャビティ又はバルジ（bulge）によって形成することができ、このキャビティ又はバルジは、内側、即ち、使用状態で歯列に面する側で、患者の１つ又は複数の歯のネガ型を表す。この手段により、ドリル治具は、手術中のねじれ又は変位に対して特に確りと固定されており、正確な所望の位置が通常予め決定されている。製造費用をさらに低減するために、特にこの実施形態において（しかし、本発明の文脈全体において）、保持要素が、例えば付加製造により仮歯と一体に構成されている（かつ、保持要素は、好ましくはプラスチック又はセラミックから、及び／又は好ましくは単一の材料から製造される）場合に、有利である。
【００１９】
結合段階で、仮歯を新たに取り付けられた歯科用インプラントに接続する必要がないように、仮歯が、歯の表面に接続するための少なくとも１つの保持ウェブを備え、保持ウェブが、好ましくは仮歯の少なくとも１つの保持要素への接続部によって形成される場合に、有益である。従って、保持ウェブは、他の歯への歯科用ブリッジとして実質的に機能することができ、ブリッジは、ドリル治具の製造中に、いわばドリル治具の一部としても形成される。保持ウェブによれば、仮歯は、インプラントで支持されない仮歯として、特に容易に使用することができる。保持ウェブは、歯科用インプラントに隣接する天然歯への接続に都合よく適しており、好ましくは、例えば、ウイング、クリップ、又はキャップ等の、仮歯から突出する接続要素によって形成される。さらに、保持ウェブは、好ましくは、本質的に固体の、即ち非可撓性の材料からなる。特に、ドリル治具全体を、同じ材料で構成することができる。仮歯を配置するための歯科治療中、保持ウェブには、適切な接着剤又はプラスチックセメント（又は固定プラスチック）が設けられ、隣接する歯の歯表面に接続することができる。必要に応じて、隣接する歯の歯表面、特にそのエナメル質の表面は、予め酸エッチングすることができる。製造を容易にするために、保持ウェブは、仮歯と保持要素との間の接続部によって形成することができ、この接続部は、特に保持要素に面する端部において、取り外し可能な接続を有する。
【００２０】
インプラントに支持される仮歯、即ち、結合段階で挿入されたインプラントに既に接続されている仮歯を、インプラントに固定することができるように、仮歯が、挿入された状態で患者の顎に面する側のインプラントへの間接的又は直接的な接続のための接続点を備える場合に有益である。有利なことに、接続点は、インプラントに適合させることができ、仮歯をインプラントに接続することができるネジ山を備えることができる。好ましくは、インプラントに接続された状態において、接続点は、患者の歯列に対する相対的な位置に関して仮歯のその後の調節を可能にするために、インプラントに対する仮歯の少なくとも部分的な回転を可能にする。接続状態では、インプラントと接続点との間のアダプタとして中間部品を追加的に配置することもでき、この場合、接続点は中間部品に適合される。もちろん、仮歯を、インプラントで支持される歯及びインプラントで支持されない歯の両方として同時に、即ち、接続点と保持ウェブの両方で、設けることも考えられる。その結果、歯科医は、例えば、治療中の患者の口腔状況に応じて、仮歯をインプラントで支持される歯で実現するか、インプラントで支持されない歯で実現するかを選択することができる。
【００２１】
好ましい実施形態では、好ましくは金属製のブッシング（bushing）がドリル加工されたガイドに挿入されることとされている。ブッシングは、ドリルの案内に使用され、ドリルの摩耗による仮歯の損傷を防ぐ。ブッシングは、取り外し可能であってもよい。もし好都合であれば、ブッシングは仮歯から突出していてもよい。
【００２２】
ドリルが深くまで貫通するのを防ぐために、ドリルの穿孔深さ制限のための、取り外し可能な停止要素を、ドリルガイドのエッジ領域に設けることができる。これらの停止要素は、ドリル治具、特に仮歯への取り外し可能な接続によって有利に接続される。
【００２３】
審美的な理由から、仮歯の少なくとも１つの表面が、不透明な、好ましくは白色又は歯の色に着色された材料でできていると有益である。特に、仮歯全体又はドリル治具全体が同一の不透明な材料からなる場合には、ドリル治具の製造が簡素化される。
【００２４】
手術中に複数の工具を同時に使用できるようにするために、仮歯が、例えばカップなどの工具のための、ロックを備えると有利である。この文脈では、カップはドリルガイドの内径を小さくする歯科用工具であるため、センタードリル、パイロットドリル、デプスドリル、カウンターボア、及びスクリュータップなど、直径が異なる種々のドリルを正確にガイドすることができる。本発明によれば、これらの工具は、ロックに接続され、結果としてロックされ得る。ロックは、この目的のためのバヨネット式留め具として実現されてもよい。
【図面の簡単な説明】
【００２５】
本発明は、好ましい実施形態に基づいて以下でより詳細に説明されるが、これに限定されるものではない。
【図１】図１は、従来技術から知られているドリル治具を示す。
【図２】図２は、第１の実施形態における患者の歯列上の本発明のドリル治具を示す。
【図３】図３は、第１の実施形態の本発明のドリル治具を別の図で示す。
【図４】図４は、第２の実施形態における患者の歯列上の本発明のドリル治具を示す。
【発明を実施するための形態】
【００２６】
比較のために、図１は、ドリルガイド３´として複数の貫通孔を有する、従来技術から既に知られているドリル治具１´を示す。ドリル治具１´を患者の歯列（図示せず）に固定するために、ドリル治具は、患者の歯に適合された保持要素４´を有する。口腔外科手術の間、歯科用インプラント用のドリル穴を位置決めするために、ドリル治具１´は歯列上に配置され、ドリルがドリルガイド３´を通って案内される。手術後、ドリル治具１´が取り外され、別個に製造された仮歯（図示せず）を使用して、取り付けられたインプラントを保護する。本発明によるドリル治具（図２〜図４参照）とは対照的に、従来技術のドリル治具は、一体化された仮歯を有しておらず、従って、それ以上使用することができないため、ドリル加工後に全体として処分することができる。
【００２７】
比較すると、図２は、第１の実施形態における本発明のドリル治具１を示しており、図示の例では、患者の歯列２上に配置されている。固定のために、ドリル治具１は、有利には、２つの保持要素４を有し、その間に仮歯５が配置されている。図２において、仮歯５は、歯列２の２つの天然歯の間に挿入されている。手術中にドリルを患者の顎に案内するために、仮歯５はドリルガイド３を備える。好ましくは、ドリルガイド３は、仮歯５の第１の側から反対側の第２の側に通じ、仮歯５を貫通するチャネル６として実現される。好都合には、チャネル６は真っ直ぐであり、即ち曲率がなく、仮歯５の両側の２つの端側開口部７を除いて閉じている。破線は、ドリルガイド３が本質的に仮歯５の内側を通り、端側開口部７を通してのみアクセス可能であることを示している。
【００２８】
穿孔後、ドリル治具１を患者の歯列から取り出すことができ、仮歯５を、繰り返し曲げることによって、又は対応する工具の助けを借りて、手で保持要素４から取り外すことができる。取り外しを容易にするために、仮歯５は、取り外し可能な接続によって保持要素４に接続することができる。特に、取り外し可能な接続が、材料の狭窄部又は穿孔によって形成される場合、この目的のために有益である（図４参照）。保持要素４から仮歯５を取り外した後、仮歯５は、患者の歯列２内の仮歯５用に提供された位置に配置することができる。これは一般に、ドリルを案内するための手術中に仮歯５が配置された位置である。審美的な理由から、仮歯５の少なくとも片側は、歯の色の材料から製造することができる。製造を簡略化するために、ドリル治具１全体を同じ歯の色の材料から製造してもよい。
【００２９】
保持要素を取り外した後、患者の歯列２に仮歯５を固定するために、仮歯５は、図示される例示的な実施形態のように、歯の表面１１に接続するための少なくとも１つの保持ウェブ１０を備えることができる。保持ウェブ１０は、好ましくは、仮歯５の保持要素４への接続部１２によって形成される。従って、第１の実施形態の仮歯は、インプラントに支持されない仮歯として特に適している。仮歯５と保持要素４との間の取り外し可能な接続は、好ましくは、対応する保持要素４に割り当てられた保持ウェブ１０の端部に配置される。
【００３０】
手術中のドリル治具１の固定を改善するために、保持要素４が、患者の歯列２上にドリル治具１を配置するために１つ又は複数の歯の上に配置されるように形成されると有益である。これは、特に、ドリル治具１を下から見た図、即ち使用状態にある患者の歯列２に面する側から見た図を示す図３から見ることができる。特に、少なくとも１つの保持要素４は、患者の歯列２上にドリル治具１を配置するために、開口部１３、好ましくは患者の歯列２の１つ又は複数の歯に適合された開口部１３を備えることができる。この開口部１３は、とりわけ、保持要素４の開放キャビティ又はバルジによって形成することができ、この開放キャビティ又はバルジは、内側、即ち、使用状態において歯列に面する側で、患者のネガ型、又は１つ又は複数の歯を表す。
【００３１】
ドリル治具１の第２の実施形態を図４に示す。第１の実施形態と同様に、仮歯５は、２つの保持要素４の間に挿入され、チャネル６として実現されるドリルガイド３を備える。図２に関連して上述した接続部１２又は保持ウェブ１０の代わりに、仮歯５は、取り外し可能な接続８によって保持要素４に直接接続され、この接続は、とりわけ材料の狭窄部又は穿孔９によって形成され得る。
【００３２】
第２の実施形態の仮歯５は、特にインプラントに支持される仮歯５として使用するのに適している。この目的のために、仮歯５は、インプラントへの間接的又は直接的な接続のために、挿入された状態で患者の顎に面する側に、インプラントに適合された接続点（図示せず）を備えていてもよい。有利には、接続点は、仮歯５をインプラントに接続することができるネジ山を含むことができる。好ましくは、この場合には、インプラントに接続された状態において、仮歯５が、その位置に関して仮歯５のその後の調整を可能にするために、インプラントに対して少なくとも部分的に回転可能であるような方法で、接続点が実現される。中間部品は、接続点とインプラントとの間にアダプタとして配置することもでき、この場合、接続点は中間部品に適合される。
【図１】
2021531947.tif 000003
【図２】
2021531947.tif 000004
【図３】
2021531947.tif 000005
【図４】
2021531947.tif 000006
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
患者の口腔外科手術用のドリル治具（１）であって、
前記患者の顎にドリルを案内するためのドリルガイド（３）が設けられた仮歯（５）と、前記患者の歯列（２）上に前記ドリル治具（１）を仮固定するために前記仮歯（５）に接続された少なくとも１つの保持要素（４）と、を備え、
前記少なくとも１つの保持要素（４）は、取り外し可能な接続（８）によって前記仮歯（５）に接続され、かつ、前記患者の前記歯列（２）上に前記ドリル治具（１）を配置するために、前記患者の前記歯列（２）の１つ又は複数の歯の上に配置されるように成形されており、
前記少なくとも１つの保持要素（４）は、前記患者の前記歯列（２）上に前記ドリル治具（１）を配置するために、前記患者の前記歯列（２）の１つ又は複数の歯に適合された開口部（１３）を備えることを特徴とする、
口腔外科手術用のドリル治具。
【請求項２】
前記取り外し可能な接続（８）は、材料の狭窄部又は穿孔（９）によって形成されることを特徴とする、請求項１に記載の口腔外科手術用のドリル治具。
【請求項３】
前記仮歯（５）は、歯の表面（１１）に接続するための少なくとも１つの保持ウェブ（１０）を含み、前記保持ウェブ（１０）は、好ましくは前記仮歯（５）の前記少なくとも１つの保持要素（４）への接続部（１２）によって形成されることを特徴とする、請求項１又は請求項２に記載の口腔外科手術用のドリル治具。
【請求項４】
前記仮歯（５）は、インプラントへの間接的又は直接的な接続のために、挿入された状態で前記患者の前記顎に面する側に接続点を備えることを特徴とする、請求項１から請求項３までのいずれか１項に記載の口腔外科手術用のドリル治具。
【請求項５】
前記ドリルガイド（３）には、金属製のブッシングが挿入されていることを特徴とする、請求項１から請求項４までのいずれか１項に記載の口腔外科手術用のドリル治具。
【請求項６】
前記ドリルの穿孔深さを制限するために、前記ドリルガイド（３）のエッジ領域に取り外し可能な停止要素が設けられていることを特徴とする、請求項１から請求項５までのいずれか１項に記載の口腔外科手術用のドリル治具。
【請求項７】
前記仮歯（５）の少なくとも１つの表面が、不透明な材料又は歯の色に着色された材料からできていることを特徴とする、請求項１から請求項６までのいずれか１項に記載の口腔外科手術用のドリル治具。
【請求項８】
前記仮歯（５）が、カップを含む工具用のロックを備えることを特徴とする、請求項１から請求項７までのいずれか１項に記載の口腔外科手術用のドリル治具。
【国際調査報告】
2021531947.tif 000007
2021531947.tif 000008
2021531947.tif 000009
2021531947.tif 000010